(57)【特許請求の範囲】
【請求項１】
トラウザーとブーツを備えており、このブーツが足部と脛部とを有しており、上記トラウザーの裾が脛部の上縁の近傍に接合されており、
水圧によってトラウザーがブーツと人体の脛との間に入り込んでブーツの中でトラウザーが折り返され、折り返しで生じたスペースに水が侵入するタイプのウェーダーであって、
この脛部の高さが上縁に沿って変動するように構成されたことを特徴とするウェーダー。
【請求項２】
上記脛部の上縁が傾斜することで、この脛部の高さが上縁に沿って変動するように構成された請求項１に記載のウェーダー。
【請求項３】
上記脛部の上縁における最高地点と最低地点との高さの差が１０ｍｍ以上２００ｍｍ以下である請求項１又は２に記載のウェーダー。
【発明の詳細な説明】
【技術分野】
【０００１】
本発明は、釣り人等に着用されるウェーダーに関する。
【背景技術】
【０００２】
渓流の釣りでは、下半身が水につかった状態で釣りが行われる。鮎釣りやシーバスフィッシングでも、釣り人は水につかって釣りを行う。これらの釣りでは、釣り人はウェーダーを着用する。ウェーダーは、防水性である。ウェーダーは、釣り人の体や衣服が濡れることを防ぐ。
【０００３】
図７は従来のウェーダー２の一部が人体の脛４と共に示された断面図である。このウェーダー２は、トラウザー６とブーツ８とからなる。図６には、トラウザー６の裾１０の近傍及びブーツ８の上縁１２の近傍が示されている。裾１０の内周面は、接着剤１４によってブーツ８の外周面と接合されている。トラウザー６とブーツ８とは、水密に接合されている。トラウザー６とブーツ８とを備えたウェーダー２が、特開２００４−１６２２２５公報に開示されている。
【特許文献１】特開２００４−１６２２２５公報
【発明の開示】
【発明が解決しようとする課題】
【０００４】
釣り人が水中で釣りを行うと、水圧でトラウザー６がブーツ８と脛４との間に入り込むことがある。ブーツ８の中で、トラウザーは折り返される。折り返しで生じたスペースには、水１６が浸入する。釣り人が陸に揚がっても、図７に示されるように、水１６が保持される。
【０００５】
一般的に、ウェーダー２が着用される釣りでは、釣り人は好ポイントを求めて広範囲を歩き回る。さらに釣り人は、岩に登る、しゃがむ等の動作を繰り返す。これらの行動において釣り人は、ウェーダー２に溜まった水１６の重みにより、不快を感じる。水１６の重みは、これらの行動を妨げる。水１６が溜まったままでの行動は、釣り人を疲れさせる。トラウザー６が引き上げられれば、水１６は排出される。しかし、引き上げの動作を頻繁に行うことは、釣り人にとって煩わしい。
【０００６】
トラウザー６が伸縮性の生地からなることがある。伸縮性の生地は、釣り人の動作を阻害しない。伸縮性の生地からなるトラウザー６では、人体の脚にフィットするシルエットにデザインされる。トラウザー６が、非伸縮性の生地からなることもある。非伸縮性の生地からなるトラウザー６では、動作の阻害の防止の観点から、人体の脚に対してゆるいシルエットにデザインされる。シルエットがゆるいトラウザー６は、ブーツ８と脛４との間に容易に入り込む。特にこのトラウザー６において、水１６が溜まりやすい。
【０００７】
本発明の目的は、ブーツの内部に水が溜まりにくいウェーダーの提供にある。
【課題を解決するための手段】
【０００８】
本発明に係るウェーダーは、トラウザーとブーツを備える。このブーツは、足部と脛部とを有する。トラウザーの裾は、脛部の上縁の近傍に接合されている。この脛部の高さは、上縁に沿って変動する。上縁が傾斜することで、脛部の高さが上縁に沿って変動しうる。
【０００９】
好ましくは、脛部の上縁における最高地点と最低地点との高さの差が１０ｍｍ以上２００ｍｍ以下である。
【発明の効果】
【００１０】
このウェーダーでは、水圧でトラウザーが折れ曲がって水が浸入しても、釣り人が陸に挙がると、上縁が高い部分の水が、上縁が低い部分へと流れ、水が排出される。このウェーダーでは、水が溜まりにくい。
【発明を実施するための最良の形態】
【００１１】
以下、適宜図面が参照されつつ、好ましい実施形態に基づいて本発明が詳細に説明される。
【００１２】
図１は、本発明の一実施形態に係るウェーダー２０が示された斜視図である。このウェーダー２０は、トラウザー２２と、一対のブーツ２４とからなる。トラウザー２２はブーツ２４と接合されている。トラウザー２２とブーツ２４とは、一体となっている。
【００１３】
トラウザー２２は、尻部２６と、一対の脚部２８と、一対の肩ベルト３０とを備えている。図示されていないが、トラウザー２２は、ナイロン糸が織られてなる生地と、この生地にコーティングされた裏地とからなる。典型的には、裏地は、ポリ塩化ビニルからなる。トラウザー２２が、防水透湿生地からなってもよい。この防水透湿生地により、外部からの水の進入が阻止され、汗の水蒸気が外部へと放出される。この防水透湿生地により、蒸れが抑制される。防水透湿生地の具体例としては、シマノ社の「ドライシールド」及びゴアテックス社の「ＧＯＲＥ−ＴＥＸ（登録商標）」が挙げられる。
【００１４】
図２は、図１のウェーダー２０の一部が示された拡大断面図である。図３は、図１のウェーダー２０の一部が示された拡大分解図である。
【００１５】
ブーツ２４は、アウトソール３２、ミッドソール３４及びアッパー３６を備えている。アッパー３６は、足部３８及び脛部４０からなる。図示されていないが、このブーツ２４は、インソールも備えている。
【００１６】
アウトソール３２は、フェルトからなる。フェルトは、濡れた岩場等におけるブーツ２４のスリップを防止する。アウトソール３２は、面ファスナー（例えば「マジックテープ（登録商標）」）によってミッドソール３４に接合されている。アウトソール３２は、ミッドソール３４に対して着脱自在である。フェルトが摩滅した場合は、アウトソール３２が交換されうる。アウトソール３２が、ゴム又は合成樹脂からなってもよい。アウトソール３２が、スパイクピンを備えてもよい。ブーツ２４が、ミッドソール３４からの取り外しができないアウトソール３２を備えてもよい。
【００１７】
ミッドソール３４は、ゴム組成物が架橋されてなる。ミッドソール３４には、強度に優れたゴムが用いられる。好ましいゴムとしては、天然ゴム、ポリブタジエン及びスチレン−ブタジエン共重合体が例示される。ミッドソール３４は、接着剤によってアッパー３６と接合されている。ミッドソール３４が、加硫接着によってアッパー３６と接合されてもよい。
【００１８】
典型的には、アッパー３６は、ポリ塩化ビニルからなる。このアッパー３６は、強度及び剛性に優れる。図示されていないが、アッパー３６は、その内面に裏地を備えている。アッパー３６が、他の合成樹脂からなってもよい。アッパー３６が、ゴムからなってもよい。足部３８は、人体の足を包み、足を保護する。脛部４０は、人体の脛を包み、脛を保護する。
【００１９】
脛部４０の上縁４２の近傍には、トラウザー２２の裾４４が積層されている。裾４４の内面が、脛部４０の外面に当接している。裾４４は、融着によって脛部４０に水密に接合されている。裾４４が、接着剤によって脛部４０に接合されてもよい。裾４４と脛部４０とに跨って、防水テープが貼着されてもよい。
【００２０】
図２及び図３に示されるように、脛部４０の上縁４２は、爪先上がりに傾斜している。換言すれば、脛部４０の高さは、上縁４２に沿って変動している。この変動により、上縁４２には、最高地点Ｐ１と最低地点Ｐ２とが形成されている。最高地点Ｐ１の高さは、最低地点Ｐ２の高さよりも大きい。図３に示されるように、トラウザー２２の裾４４も、爪先上がりに傾斜している。裾４４は、水平であってもよい。
【００２１】
このウェーダー２０を着用した釣り人は、水に入って釣りを行う。トラウザー２２及びブーツ２４は非透水性であり、かつトラウザー２２がブーツ２４に水密に接合されているので、釣り人の体は水に濡れない。
【００２２】
釣りの途中で、水圧によってトラウザー２２がブーツ２４と人体の脛４（図７参照）との間に入り込むと、ブーツ２４の中でトラウザー２２は折り返される。折り返しで生じたスペースには、水が浸入する。釣り人が陸に揚がると、最高地点Ｐ１の近傍の水は、踵に向かって流れる。最低地点Ｐ２は低いので、水はブーツ２４から流れ出す。このウェーダー２０では、水が溜まりにくい。釣り人は、歩行等の動作を快適に行うことができる。
【００２３】
図２において矢印Ｄで示されているのは、最高地点Ｐ１の高さと最低地点Ｐ２の高さとの差である。差Ｄは、１０ｍｍ以上２００ｍｍ以下が好ましい。差Ｄが１０ｍｍ以上であるウェーダー２０では、水が十分に流れ出す。この観点から、差Ｄは２０ｍｍ以上がより好ましく、３０ｍｍ以上が特に好ましい。差Ｄが２００ｍｍ以下であるウェーダー２０では、脛４の保護と履き心地とが両立されうる。この観点から、差Ｄは１５０ｍｍ以下がより好ましく、１００ｍｍ以下が特に好ましい。差Ｄは、ブーツ２４が水平面に載置された状態で測定される。
【００２４】
図３では、上縁４２は、右下がりの直線として画かれている。上縁４２が、曲線（例えば円弧状）であってもよい。上縁４２が、段差形状であってもよい。
【００２５】
図４は、本発明の他の実施形態に係るウェーダー５０の一部が示された断面図である。このウェーダー５０は、トラウザー５２とブーツ５４とを備えている。ブーツ５４は、脛部５６を備えている。トラウザー５２の材質は、図１に示されたトラウザー２２の材質と同一である。ブーツ５４の材質は、図１に示されたブーツ２４の材質と同一である。トラウザー５２の裾５８は、脛部５６に接合されている。
【００２６】
脛部５６の上縁６０は、爪先下がり傾斜している。換言すれば、脛部５６の高さは、上縁６０に沿って変動している。この変動により、上縁６０には、最高地点Ｐ１と最低地点Ｐ２とが形成されている。最高地点Ｐ１の高さは、最低地点Ｐ２の高さよりも大きい。トラウザー５２の裾５８も、爪先下がりに傾斜している。釣り人が陸に揚がったとき、最高地点Ｐ１の近傍の水は、爪先に向かって流れる。最低地点Ｐ２は低いので、水はブーツ５４から流れ出す。このウェーダー５０では、水が溜まりにくい。
【００２７】
このウェーダー５０でも、最高地点Ｐ１の高さと最低地点Ｐ２の高さとの差Ｄは、１０ｍｍ以上が好ましく、２０ｍｍ以上がより好ましく、３０ｍｍ以上が特に好ましい。差Ｄは２００ｍｍ以下が好ましく、１５０ｍｍ以下がより好ましく、１００ｍｍ以下が特に好ましい。
【００２８】
図５は、本発明のさらに他の実施形態に係るウェーダー６６の一部が示された断面図である。このウェーダー６６は、トラウザー６８とブーツ７０とを備えている。ブーツ７０は、脛部７２を備えている。トラウザー６８の材質は、図１に示されたトラウザー２２の材質と同一である。ブーツ７０の材質は、図１に示されたブーツ２４の材質と同一である。トラウザー６８の裾７４は、脛部７２に接合されている。
【００２９】
脛部７２の上縁７６は、２つの最高地点Ｐ１と、２つの最低地点Ｐ２とを備えている。図５には、１つの最高地点Ｐ１が示されている。最高地点Ｐ１は、上縁７６の中央に位置している。爪先側の最低地点Ｐ２に向かって、最高地点Ｐ１から、上縁７６は爪先下がりに傾斜している。踵側の最低地点Ｐ２に向かって、最高地点Ｐ１から、上縁７６は爪先上がりに傾斜している。換言すれば、脛部７２の高さは、上縁７６に沿って変動している。最高地点Ｐ１の高さは、最低地点Ｐ２の高さよりも大きい。釣り人が陸に揚がったとき、最高地点Ｐ１の近傍の水は、爪先に向かって流れ、かつ踵に向かって流れる。最低地点Ｐ２は低いので、水はブーツ７０から流れ出す。このウェーダー６６では、水が溜まりにくい。
【００３０】
このウェーダー６６でも、最高地点Ｐ１の高さと最低地点Ｐ２の高さとの差Ｄは、１０ｍｍ以上が好ましく、２０ｍｍ以上がより好ましく、３０ｍｍ以上が特に好ましい。差Ｄは２００ｍｍ以下が好ましく、１５０ｍｍ以下がより好ましく、１００ｍｍ以下が特に好ましい。
【００３１】
図６は、本発明のさらに他の実施形態に係るウェーダー８０の一部が示された断面図である。図６には、踵方向から見られたウェーダー８０が示されている。図６において、左側はアウトサイドであり、右側はインサイドである。このウェーダー８０は、トラウザー８２とブーツ８４とを備えている。ブーツ８４は、脛部８６を備えている。トラウザー８２の材質は、図１に示されたトラウザー２２の材質と同一である。ブーツ８４の材質は、図１に示されたブーツ２４の材質と同一である。トラウザー８２の裾８８は、脛部８６に接合されている。
【００３２】
脛部８６の上縁９０は、アウトサイドからインサイドに向かって下向きに傾斜している。換言すれば、脛部８６の高さは、上縁９０に沿って変動している。この変動により、上縁９０には、最高地点Ｐ１と最低地点Ｐ２とが形成されている。最高地点Ｐ１の高さは、最低地点Ｐ２の高さよりも大きい。トラウザー８２の裾８８も、アウトサイドからインサイドに向かって下向きに傾斜している。釣り人が陸に揚がったとき、最高地点Ｐ１の近傍の水は、インサイドに向かって流れる。最低地点Ｐ２は低いので、水はブーツ８４から流れ出す。このウェーダー８０では、水が溜まりにくい。
【００３３】
このウェーダー８０でも、最高地点Ｐ１の高さと最低地点Ｐ２の高さとの差Ｄは、１０ｍｍ以上が好ましく、２０ｍｍ以上がより好ましく、３０ｍｍ以上が特に好ましい。差Ｄは２００ｍｍ以下が好ましく、１５０ｍｍ以下がより好ましく、１００ｍｍ以下が特に好ましい。上縁９０が、インサイドからアウトサイドに向かって下向きに傾斜してもよい。
【産業上の利用可能性】
【００３４】
本発明に係るウェーダーは、種々の釣り場において利用されうる。このウェーダーは、釣り以外の用途にも用いられうる。
【図面の簡単な説明】
【００３５】
【図１】図１は、本発明の一実施形態に係るウェーダーが示された斜視図である。
【図２】図２は、図１のウェーダーの一部が示された拡大断面図である。
【図３】図３は、図１のウェーダーの一部が示された拡大分解図である。
【図４】図４は、本発明の他の実施形態に係るウェーダーの一部が示された断面図である。
【図５】図５は、本発明のさらに他の実施形態に係るウェーダーの一部が示された断面図である。
【図６】図６は、さらに本発明の他の実施形態に係るウェーダーの一部が示された断面図である。
【図７】図７は従来のウェーダーの一部が人体の脛と共に示された断面図である。
【符号の説明】
【００３６】
２０、５０、６６、８０・・・ウェーダー
２２、５２、６８、８２・・・トラウザー
２４、５４、７０、８４・・・ブーツ
２６・・・
２８・・・
３０・・・
３２・・・アウトソール
３４・・・ミッドソール
３６・・・アッパー
３８・・・足部
４０、５６、７２、８６・・・脛部
４２、６０、７６、９０・・・上縁
４４、５８、７４、８８・・・裾
【図１】
0005219426.tif 000002
【図２】
0005219426.tif 000003
【図３】
0005219426.tif 000004
【図４】
0005219426.tif 000005
【図５】
0005219426.tif 000006
【図６】
0005219426.tif 000007
【図７】
0005219426.tif 000008